(57)【要約】      （修正有）【課題】基板が本体部に誤って取り付けられてしまうことを抑制できる加熱調理装置を提供する。【解決手段】加熱調理装置は、第１制御部４１ａと、第１加熱調理器設定部４１ｂとを含む第１操作部４と、第２制御部５１ａと、第２加熱調理器設定部５１ｂとを含む第２操作部５と、第１基板決定部８２と、第２基板決定部８３とを有する本体部８とを備える。第１制御部は、第１加熱調理器設定部と第１基板決定部とが接続した場合に、第１加熱調理器を制御する制御信号を出力し、第１加熱調理器設定部と第２基板決定部とが接続した場合、第２加熱調理器を制御する制御信号を出力するように構成される。第２制御部は、第２加熱調理器設定部と第１基板決定部とが接続した場合に、第１加熱調理器を制御する制御信号を出力し、第２加熱調理器設定部と第２基板決定部とが接続した場合、第２加熱調理器を制御する制御信号を出力するように構成される。【選択図】図２
2019056539.tif 000002
【特許請求の範囲】
【請求項１】
第１加熱調理器と、
第２加熱調理器と、
第１制御部と、第１加熱調理器設定部とを含む第１基板を有する第１操作部と、
第２制御部と、前記第１加熱調理器設定部と同一の第２加熱調理器設定部とを含む第２基板とを有する第２操作部と、
前記第１基板及び前記第２基板を収納し、前記第１加熱調理器に対応する第１基板決定部と、前記第２加熱調理器に対応する第２基板決定部とを有する本体部とを備え、
前記第１制御部は、前記第１加熱調理器設定部と前記第１基板決定部とが接続した場合に、前記第１加熱調理器を制御する制御信号を出力し、前記第１加熱調理器設定部と前記第２基板決定部とが接続した場合に、前記第２加熱調理器を制御する制御信号を出力するように構成され、
前記第２制御部は、前記第２加熱調理器設定部と前記第１基板決定部とが接続した場合に、前記第１加熱調理器を制御する制御信号を出力し、前記第２加熱調理器設定部と前記第２基板決定部とが接続した場合に、前記第２加熱調理器を制御する制御信号を出力するように構成される、加熱調理装置。
【請求項２】
前記第１加熱調理器設定部及び前記第２加熱調理器設定部は、前記第１基板決定部に接続された場合と前記第２基板決定部に接続された場合とで、異なる電位を示すように構成され、
前記第１制御部及び前記第２制御部は、前記電位に基づいて、前記第１加熱調理器を制御信号及び前記第２加熱調理器を制御する制御信号のいずれか一方を出力するように構成される、請求項１に記載の加熱調理装置。
【請求項３】
前記第１加熱調理器設定部は、ピンを有し、
前記第１基板決定部は、前記ピンが挿入される第１孔と、一方端が前記第１孔に挿入される前記ピンに電気的に接続され、他方端が接地電位とされる第１抵抗とを有し、
前記第２基板決定部は、前記ピンが挿入される第２孔と、一方端が前記第２孔に挿入される前記ピンに電気的に接続され、かつ他方端が接地電位とされる第２抵抗とを有し、
前記第１抵抗の電気抵抗値は、前記第２抵抗の電気抵抗値と異なる、請求項２に記載の加熱調理装置。
【請求項４】
前記第１加熱調理器設定部は、第１ピン及び第２ピンを有し、
前記第１基板決定部は、前記第１ピンが挿入される第１孔と、前記第２ピンが挿入される第２孔と、前記第１孔に挿入される前記第１ピンと前記第２孔に挿入される前記第２ピンとを電気的に接続する第１抵抗とを有し、
前記第２基板決定部は、前記第１ピンが挿入される第３孔と、前記第２ピンが挿入される第４孔と、前記第３孔に挿入される前記第１ピンと前記第４孔に挿入される前記第２ピンとを電気的に接続する第２抵抗とを有し、
前記第１抵抗の電気抵抗値は、前記第２抵抗の電気抵抗値と異なる、請求項２に記載の加熱調理装置。
【請求項５】
前記第１加熱調理器設定部は、第１ピン、第２ピン及び第３ピンを有し、
前記第１基板決定部は、前記第１ピンが挿入される第１孔と、前記第２ピンが挿入される第２孔と、前記第３ピンが挿入される第３孔とを有し、
前記第２基板決定部は、前記第１ピンが挿入される第４孔と、前記第２ピンが挿入される第５孔と、前記第３ピンが挿入される第６孔とを有し、
前記第１孔に挿入される前記第１ピンと前記第２孔に挿入される前記第２ピンとは、電気的に導通し、かつ前記第４孔に挿入される前記第１ピンと前記第５孔に挿入される前記第２ピンとは、電気的に絶縁される、請求項２に記載の加熱調理装置。
【請求項６】
前記第１基板は、前記第１加熱調理器に対応する第１識別情報及び前記第２加熱調理器に対応する第２識別情報の一方を保持する第１記憶部をさらに有し、
前記第２基板は、前記第１識別情報及び前記第２識別情報の一方を保持する第２記憶部をさらに有し、
前記第１制御部は、初回電源投入時に前記第１加熱調理器設定部と前記第１基板決定部とが接続している場合に、前記第１識別情報を前記第１記憶部に保持させ、初回電源投入時に前記第１加熱調理器設定部と前記第２基板決定部とが接続している場合に、前記第２識別情報を前記第１記憶部に保持するように構成され、
前記第２制御部は、初回電源投入時に前記第２加熱調理器設定部と前記第１基板決定部とが接続している場合に、前記第１識別情報を前記第２記憶部に保持させ、初回電源投入時に前記第２加熱調理器設定部と前記第２基板決定部とが接続している場合に、前記第２識別情報を前記第２記憶部に保持するように構成され、
前記第１制御部は、前記第１記憶部が前記第１識別情報を保持している場合に前記第１加熱調理器を制御する制御信号を出力し、前記第１記憶部が前記第２識別情報を保持している場合に前記第２加熱調理器を制御する制御信号を出力するように構成され、
前記第２制御部は、前記第２記憶部が前記第１識別情報を保持している場合に前記第１加熱調理器を制御する制御信号を出力し、前記第２記憶部が前記第２識別情報を保持している場合に前記第２加熱調理器を制御する制御信号を出力するように構成される、請求項１〜５のいずれか１項に記載の加熱調理装置。
【請求項７】
第１加熱調理器と、第２加熱調理器と、第１制御部と、第１加熱調理器設定部を含む第１基板を有する第１操作部と、第２制御部と、前記第１加熱調理器設定部と同一の第２加熱調理器設定部を含む第２基板を有する第２操作部と、前記第１基板及び前記第２基板を収納し、前記第１加熱調理器に対応する第１基板決定部と、前記第２加熱調理器に対応する第２基板決定部とを有する本体部とを備える加熱調理装置の制御方法であって、
前記第１加熱調理器設定部が前記第１基板決定部及び前記第２基板決定部のいずれと接続されているかを検知するとともに、前記第２加熱調理器設定部が前記第１基板決定部及び前記第２基板決定部のいずれと接続されているかを検知する工程と、
前記第１加熱調理器設定部と前記第１基板決定部との接続が検知され、かつ前記第２加熱調理器設定部と前記第２基板決定部との接続が検知された場合に、前記第１加熱調理器を前記第１制御部により制御するとともに前記第２加熱調理器を前記第２制御部により制御し、
前記第１加熱調理器設定部と前記第２基板決定部との接続が検知され、かつ前記第２加熱調理器設定部と前記第１基板決定部との接続が検知された場合に、前記第２加熱調理器を前記第１制御部により制御するとともに前記第１加熱調理器を前記第２制御部により制御する工程とを備える、制御方法。
【発明の詳細な説明】
【技術分野】
【０００１】
本発明は、加熱調理装置及びその制御方法に関する。
【背景技術】
【０００２】
従来から、特開２０１２−１１２５７６号公報（特許文献１）に記載の加熱調理装置が知られている。特許文献１に記載の加熱調理装置は、第１加熱調理器と、第２加熱調理器と、第３加熱調理器と、第１操作部と、第２操作部と、第３操作部とを有している。第１操作部は、第１加熱調理器に対応している。第２操作部は、第２加熱調理器に対応している。第３操作部は、第３加熱調理器に対応している。
【先行技術文献】
【特許文献】
【０００３】
【特許文献１】特開２０１２−１１２５７６号公報
【発明の概要】
【発明が解決しようとする課題】
【０００４】
第１〜第３加熱調理器と第１〜第３操作部とをそれぞれ対応させるための方法として、第１加熱調理器と第１操作部とを接続するハーネス（第１ハーネス）と、第２加熱調理器と第２操作部とを接続するハーネス（第２ハーネス）と、第３加熱調理器と第３操作部とを接続するハーネス（第３ハーネス）とを、それぞれ異ならせることが考えられる。この場合には、第１〜第３操作部は、接続されているハーネスとの接続状態を検知することにより、第１〜第３加熱調理器との対応関係を認識することができる。
【０００５】
しかしながら、上記の方法による場合には、ハーネスの取り付けミスが発生するおそれがある。例えば、誤って第１ハーネスが第１加熱調理器と第２操作部とを接続し、第２ハーネスが第２加熱調理器と第１操作部とを接続してしまった場合には、ユーザが第２操作部を操作しているにもかかわらず、第１加熱調理器が操作され、ユーザが第１操作部を操作しているにもかかわらず、第２加熱調理器が操作されてしまうという事態が生じる。
【０００６】
本発明は、上記のような従来技術の問題点に鑑みてなされたものである。より具体的には、本発明は、ユーザが意図していない加熱調理器が操作されてしまうことを抑制することができる加熱調理装置及びその制御方法を提供するものである。
【課題を解決するための手段】
【０００７】
本発明の一態様に係る加熱調理装置は、第１加熱調理器と、第２加熱調理器と、第１操作部と、第２操作部と、本体部とを備える。第１操作部は、第１制御部と、第１加熱調理器設定部とを含む第１基板を有する。第２操作部は、第２制御部と、第１加熱調理器設定部と同一の第２加熱調理器設定部とを含む第２基板とを有する。本体部は、第１基板及び第２基板を収納し、第１加熱調理器に対応する第１基板決定部と、第２加熱調理器に対応する第２基板決定部とを有する。第１制御部は、第１加熱調理器設定部と第１基板決定部とが接続した場合に、第１加熱調理器を制御する制御信号を出力し、第１加熱調理器設定部と第２基板決定部とが接続した場合に、第２加熱調理器を制御する制御信号を出力するように構成される。第２制御部は、第２加熱調理器設定部と第１基板決定部とが接続した場合に、第１加熱調理器を制御する制御信号を出力し、第２加熱調理器設定部と第２基板決定部とが接続した場合に、第２加熱調理器を制御する制御信号を出力するように構成される。
【０００８】
上記の加熱調理装置において、第１加熱調理器設定部及び第２加熱調理器設定部は、第１基板決定部に接続された場合と第２基板決定部に接続された場合とで、異なる電位を示すように構成されていてもよい。第１制御部及び第２制御部は、電位に基づいて、第１加熱調理器を制御信号及び第２加熱調理器を制御する制御信号のいずれか一方を出力するように構成されていてもよい。
【０００９】
上記の加熱調理装置において、第１加熱調理器設定部は、ピンを有していてもよい。第１基板決定部は、ピンが挿入される第１孔と、一方端が第１孔に挿入されるピンに電気的に接続され、かつ他方端が接地電位とされる第１抵抗とを有していてもよい。第２基板決定部は、ピンが挿入される第２孔と、一方端が第２孔に挿入されるピンに電気的に接続され、かつ他方端が接地電位とされる第２抵抗とを有していてもよい。第１抵抗の電気抵抗値は第２抵抗の電気抵抗値と異なっていてもよい。
【００１０】
上記の加熱調理装置において、第１加熱調理器設定部は、第１ピン及び第２ピンを有していてもよい。第１基板決定部は、第１ピンが挿入される第１孔と、第２ピンが挿入される第２孔と、第１孔に挿入される第１ピンと第２孔に挿入される第２ピンとを電気的に接続する第１抵抗とを有していてもよい。第２基板決定部は、第１ピンが挿入される第３孔と、第２ピンが挿入される第４孔と、第３孔に挿入される第１ピンと第４孔に挿入される第２ピンとを電気的に接続する第２抵抗とを有していてもよい。第１抵抗の電気抵抗値は第２抵抗の電気抵抗値と異なっていてもよい。
【００１１】
上記の加熱調理装置において、第１加熱調理器設定部は、第１ピン、第２ピン及び第３ピンを有していてもよい。第１基板決定部は、第１ピンが挿入される第１孔と、第２ピンが挿入される第２孔と、第３ピンが挿入される第３孔とを有していてもよい。第２基板決定部は、第１ピンが挿入される第４孔と、第２ピンが挿入される第５孔と、第３ピンが挿入される第６孔とを有していてもよい。第１孔に挿入される第１ピンと第２孔に挿入される第１ピンとは、電気的に導通していてもよい。第４孔に挿入される第１ピンと第５孔に挿入される第２ピンとは、電気的に絶縁されていてもよい。
【００１２】
上記の加熱調理装置において、第１基板は、第１加熱調理器に対応する第１識別情報及び第２加熱調理器に対応する第２識別情報の一方を保持する第１記憶部をさらに有し、第２基板は、第１識別情報及び第２識別情報の一方を保持する第２記憶部をさらに有していてもよい。第１制御部は、初回電源投入時に第１加熱調理器設定部と第１基板決定部とが接続している場合に、第１識別情報を第１記憶部に保持させ、初回電源投入時に第１加熱調理器設定部と第２基板決定部とが接続している場合に、第２識別情報を第１記憶部に保持するように構成されていてもよい。第２制御部は、初回電源投入時に第２加熱調理器設定部と第１基板決定部とが接続している場合に、第１識別情報を第２記憶部に保持させ、初回電源投入時に第２加熱調理器設定部と第２基板決定部とが接続している場合に、第２識別情報を第２記憶部に保持するように構成されていてもよい。第１制御部は、第１記憶部が第１識別情報を保持している場合に第１加熱調理器を制御する制御信号を出力し、第１記憶部が第２識別情報を保持している場合に第２加熱調理器を制御する制御信号を出力するように構成されていてもよい。第２制御部は、第２記憶部が第１識別情報を保持している場合に第１加熱調理器を制御する制御信号を出力し、第２記憶部が第２識別情報を保持している場合に第２加熱調理器を制御する制御信号を出力するように構成されていてもよい。
【００１３】
本発明の一態様に係る制御方法は、加熱調理装置の制御方法である。加熱調理装置は、第１加熱調理器と、第２加熱調理器と、第１操作部と、第２操作部と、第１加熱調理器に対応する第１基板決定部と、第２加熱調理器に対応する第２基板決定部とを有する本体部とを備える。第１操作部は、第１制御部と、第１加熱調理器設定部を含む基板を有する。第２操作部は、第２制御部と、第１加熱調理器設定部と同一の第２加熱調理器設定部を含む第２基板を有する。第１基板及び第２基板は、本体部に収納される。本発明の一態様に係る制御方法は、第１加熱調理器設定部が第１基板決定部及び第２基板決定部のいずれと接続されているかを検知するとともに、第２加熱調理器設定部が第１基板決定部及び第２基板決定部のいずれと接続されているかを検知する工程と、第１加熱調理器設定部と第１基板決定部との接続が検知され、かつ第２加熱調理器設定部と第２基板決定部との接続が検知された場合、第１加熱調理器を第１制御部により制御するとともに第２加熱調理器を第２制御部により制御し、第１加熱調理器設定部と第２基板決定部との接続が検知され、かつ第２加熱調理器設定部と第１基板決定部との接続が検知された場合、第２加熱調理器を第１制御部により制御するとともに第１加熱調理器を第２制御部により制御する工程とを備える。
【発明の効果】
【００１４】
本発明の一態様に係る加熱調理装置及びその制御方法によると、ユーザが意図していない加熱調理器が操作されてしまうことを抑制することができる。
【図面の簡単な説明】
【００１５】
【図１】実施形態１に係る加熱調理装置１０の斜視図である。
【図２】実施形態１に係る加熱調理装置１０の機能ブロック図である。
【図３】実施形態１に係る加熱調理装置１０の分解斜視図である。
【図４】図３のＩＶ−ＩＶにおける断面図である。
【図５】実施形態１に係る加熱調理装置１０の制御方法についてのフローチャートである。
【図６】実施形態２に係る加熱調理装置２０の分解斜視図である。
【図７】図６のＶＩＩ−ＶＩＩにおける断面図である。
【図８】実施形態３に係る加熱調理装置２０の分解斜視図である。
【図９】図８のＩＸ−ＩＸにおける断面図である。
【発明を実施するための形態】
【００１６】
本発明の実施形態の詳細を、図面を参照しながら説明する。なお、以下の図面においては、同一又は相当する部分に同一の符号を付し、重複する説明は繰り返さない。
【００１７】
（実施形態１）
以下に、実施形態１に係る加熱調理装置１０の構成を、図１、図２、図３及び図４を参照して説明する。
【００１８】
図１に示すように、加熱調理装置１０は、第１加熱調理器１と、第２加熱調理器２とを有している。加熱調理装置１０は、第３加熱調理器３を有していてもよい。
【００１９】
第１加熱調理器１、第２加熱調理器２及び第３加熱調理器３は、例えばガスコンロである。第１加熱調理器１、第２加熱調理器２及び第３加熱調理器３は、これに限られるものではない。例えば、第１加熱調理器１、第２加熱調理器２及び第３加熱調理器３は、電磁調理器（ＩＨクッキングヒータ）であってもよい。加熱調理器の数は、２以上であればよく、その数に上限はない。
【００２０】
図２に示すように、加熱調理装置１０は、第１操作部４と、第２操作部５と、バーナコントローラ基板７と、本体部８とを有している。加熱調理装置１０は、第３操作部６をさらに有していてもよい。第１操作部４は、第１加熱調理器１に対応している。第２操作部５は、第２加熱調理器２に対応している。第３操作部６は、第３加熱調理器３に対応している。
【００２１】
第１操作部４は、第１基板４１と、第１入力部４２とを有している。第１基板４１は、第１制御部４１ａと、第１加熱調理器設定部４１ｂとを有している。なお、第１制御部４１ａは、例えばマイクロコントローラにより構成されている。第１基板４１は、第１記憶部４１ｃを有していてもよい。第１記憶部４１ｃは、例えばＥＥＰＲＯＭ（Electrically  Erasable  Programmable  Read-Only  Memory）、フラッシュメモリ等の不揮発性メモリである。第１記憶部４１ｃは、第１制御部４１ａに接続されている。第１記憶部４１ｃは、第１制御部４１ａに内蔵されていてもよい。
【００２２】
第１加熱調理器設定部４１ｂは、第１ピン４１ｂａと、第２ピン４１ｂｂと、第３ピン４１ｂｃとを有している。第１ピン４１ｂａ、第２ピン４１ｂｂ及び第３ピン４１ｂｃの各々は、導電性の部材により形成されている。第１制御部４１ａは、第１ピン４１ｂａ、第２ピン４１ｂｂ及び第３ピン４１ｂｃの各々に電気的に接続されている。
【００２３】
なお、好ましくは、第１ピン４１ｂａ、第２ピン４１ｂｂ及び第３ピン４１ｂｃは、第１基板４１の裏面側に取り付けられている（図３参照）。
【００２４】
第１入力部４２は、ユーザからの第１加熱調理器１に関する操作を受け付ける。第１入力部４２は、例えば、ボタン、つまみ、スイッチ等により構成されている。第１入力部４２は、例えばタッチパネルにより構成されていてもよい。第１入力部４２は、第１制御部４１ａに接続されている。
【００２５】
第２操作部５は、第２基板５１と、第２入力部５２とを有している。第２基板５１は、第１制御部４１ａと同様の動作を行う第２制御部５１ａと、第１加熱調理器設定部４１ｂと同様の構成の第２加熱調理器設定部５１ｂとを有している。第２制御部５１ａは、例えばマイクロコントローラにより構成されている。第２制御部５１ａの構成は、第１制御部４１ａの構成と同一であってもよい。第２基板５１は、第２記憶部５１ｃをさらに有していてもよい。第２記憶部５１ｃは、例えばＥＥＰＲＯＭ、フラッシュメモリ等の不揮発性メモリである。第２記憶部５１ｃの構成は、第１記憶部４１ｃの構成と同一であってもよい。第２記憶部５１ｃは、第１記憶部４１ｃと同様の動作を行う。第２記憶部５１ｃは、第２制御部５１ａに接続されている。第２記憶部５１ｃは、第２制御部５１ａに内蔵されていてもよい。第２入力部５２は、第１入力部４２と同様の構成を有している。このように、第２操作部５は、第１操作部４と互換性があるように構成されている。
【００２６】
第３操作部６は、第３基板６１と、第３入力部６２とを有している。第３基板６１は、第１制御部４１ａと同様の動作を行う第３制御部６１ａと、第１加熱調理器設定部４１ｂと同様の構成の第３加熱調理器設定部６１ｂとを有している。第３制御部６１ａは、例えばマイクロコントローラにより構成されている。第３制御部６１ａの構成は、第１制御部４１ａの構成と同一であってもよい。第３基板６１は、第３記憶部６１ｃをさらに有していてもよい。第３記憶部６１ｃは、例えばＥＥＰＲＯＭ、フラッシュメモリ等の不揮発性メモリである。第３記憶部６１ｃは、第１記憶部４１ｃと同様の動作を行う。第３記憶部６１ｃの構成は、第１記憶部の構成と同一であってもよい。第３記憶部６１ｃは、第３制御部６１ａに接続されていてもよく、第３制御部６１ａに内蔵されていてもよい。第３入力部６２は、第１入力部４２と同様の構成を有している。このように、第３操作部６は、第１操作部４及び第２操作部５と互換性があるように構成されている。
【００２７】
バーナコントローラ基板７は、制御部７１を有している。制御部７１は、ハーネス等により構成される通信バスを介して、第１制御部４１ａ、第２制御部５１ａ及び第３制御部６１ａと通信を行う。バーナコントローラ基板７は、本体部８に収納されていてもよく、本体部８に収納されていなくてもよい。
【００２８】
具体的には、制御部７１は、第１に、通信バスに対して、第１制御部４１ａからの応答を要求する応答要求信号（第１応答要求信号）を送信する。第１応答要求信号に応答し、第１制御部４１ａは、第１応答要求信号を受信した時点の第１入力部４２における操作状態に対応した制御信号を、通信バスを介して制御部７１に送信する。
【００２９】
制御部７１は、第２に、通信バスに対して、第１応答要求信号から所定間隔を置いて、第２制御部５１ａからの応答を要求する応答要求信号（第２応答要求信号）を送信する。第２応答要求信号に応答し、第２制御部５１ａは、第２応答要求信号を受信した時点の第２入力部５２における操作状態に対応した制御信号を、通信バスを介して制御部７１に送信する。
【００３０】
制御部７１は、第３に、通信バスに対して、第２応答要求信号から所定間隔を置いて、第３制御部６１ａからの応答を要求する応答要求信号（第３応答要求信号）を送信する。第３応答要求信号に応答し、第３制御部６１ａは、第２応答要求信号を受信した時点の第３入力部６２における操作状態に対応した制御信号を、通信バスを介して制御部７１に送信する。
【００３１】
制御部７１は、上記の動作を順次繰り返すことにより、第１制御部４１ａ、第２制御部５１ａ及び第３制御部６１ａと通信する。すなわち、制御部７１は、ポーリング方式により、第１制御部４１ａ、第２制御部５１ａ及び第３制御部６１ａと通信する。
【００３２】
制御部７１は、第１制御部４１ａ、第２制御部５１ａ及び第３制御部６１ａから受信した制御信号に基づき、第１加熱調理器１、第２加熱調理器２及び第３加熱調理器３に対する制御を行う。
【００３３】
図３に示すように、本体部８には、第１基板４１、第２基板５１及び第３基板６１が収納されている。なお、図３においては、本体部８の内部構造を明らかにするため、本体部８の上面の図示は省略してある。また、図３において図示は省略されているが、第１入力部４２、第２入力部５２及び第３入力部６２は、本体部８の上面又は前側面に取り付けられる。
【００３４】
本体部８は、第１基板決定部８２と、第２基板決定部８３と、第３基板決定部８４とを有している。第１基板決定部８２は、第１加熱調理器１に対応している。第２基板決定部８３は、第２加熱調理器２に対応している。第３基板決定部８４は、第３加熱調理器３に対応している。
【００３５】
第１加熱調理器設定部４１ｂは、第１基板決定部８２に接続されている。第２加熱調理器設定部５１ｂは、第２基板決定部８３に接続されている。第３加熱調理器設定部６１ｂは、第３基板決定部８４に接続されている。なお、この接続関係は、例示であり、この接続関係に拠らなくても、後述のとおり、加熱調理装置１０は正しく動作する。
【００３６】
第１基板決定部８２の配置位置は第１加熱調理器１の配置位置に対応しており、第２基板決定部８３の配置位置は第２加熱調理器２の配置位置に対応しており、第３基板決定部８４の配置位置は第３加熱調理器３の配置位置に対応している。
【００３７】
例えば、第１加熱調理器１が加熱調理装置１０の左側に配置され、第２加熱調理器２が加熱調理装置１０の中央に配置され、第３加熱調理器３が加熱調理装置１０の右側に配置されている場合には、第１基板決定部８２は本体部８の左側に配置され、第２基板決定部８３は本体部８の中央に配置され、第３基板決定部８４は本体部８の右側に配置される。
【００３８】
第１制御部４１ａは、第１加熱調理器設定部４１ｂと第１基板決定部８２とが接続されている場合、第１加熱調理器１を制御するための制御信号（第１制御信号）を出力する。第１制御部４１ａは、第１加熱調理器設定部４１ｂと第２基板決定部８３とが接続されている場合、第２加熱調理器２を制御するための制御信号（第２制御信号）を出力する。第１制御部４１ａは、第１加熱調理器設定部４１ｂと第３基板決定部８４とが接続されている場合、第３加熱調理器３を制御するための制御信号（第３制御信号）を出力する。
【００３９】
上記のとおり、第２制御部５１ａ及び第３制御部６１ａは、第１制御部４１ａと同様に動作し、第２加熱調理器設定部５１ｂ及び第３加熱調理器設定部６１ｂは、第１加熱調理器設定部４１ｂと同一の構成となっている。そのため、第２制御部５１ａは、第２加熱調理器設定部５１ｂと第１基板決定部８２とが接続されている場合に、第１制御信号を出力し、第２加熱調理器設定部５１ｂが第２基板決定部８３とが接続されている場合、第２制御信号を出力し、第２加熱調理器設定部５１ｂと第３基板決定部とが接続されている場合に、第３制御信号を出力する。同様に、第３制御部６１ａは、第３加熱調理器設定部６１ｂと第１基板決定部８２とが接続されている場合に、第１制御信号を出力し、第３加熱調理器設定部６１ｂが第２基板決定部８３とが接続されている場合に、第２制御信号を出力し、第３加熱調理器設定部６１ｂと第３基板決定部とが接続されている場合に、第３制御信号を出力する。
【００４０】
すなわち、第１制御部４１ａ、第２制御部５１ａ及び第３制御部６１ａから出力される制御信号は、それらの制御部を含む基板が搭載される位置に対応したものとなる。別の観点からいえば、第１制御部４１ａ、第２制御部５１ａ及び第３制御部６１ａは、それらの制御部を含む基板が搭載される位置に対応した加熱調理器を制御するための制御信号を出力することになる。
【００４１】
第１基板決定部８２は、第１孔８２ａと、第２孔８２ｂと、第３孔８２ｃとを有している。第２基板決定部８３は、第４孔８３ａと、第５孔８３ｂと、第６孔８３ｃとを有している。第３基板決定部８４は、第７孔８４ａと、第８孔８４ｂと、第９孔８４ｃとを有している。例えば、第１孔８２ａ（第４孔８３ａ、第７孔８４ａ）は、第２孔８２ｂ（第５孔８３ｂ、第８孔８４ｂ）の左側に配置され、第３孔８２ｃ（第６孔８３ｃ、第９孔８４ｃ）は、第２孔８２ｂ（第５孔８３ｂ、第８孔８４ｂ）の左側に配置される。
【００４２】
第１孔８２ａ、第４孔８３ａ及び第７孔８４ａには、第１ピン４１ｂａが挿入される。第２孔８２ｂ、第５孔８３ｂ及び第８孔８４ｂには、第２ピン４１ｂｂが挿入される。第３孔８２ｃ、第６孔８３ｃ及び第９孔８４ｃには、第３ピン４１ｂｃが挿入される。
【００４３】
図４に示すように、本体部８は、底壁８１を有している。底壁８１は、内面８１ａと、外面８１ｂとを有している。内面８１ａは、本体部８の内部側に位置する底壁８１の面である。外面８１ｂは、内面８１ａの反対面である。すなわち、外面８１ｂは、本体部８の外部側に位置する底壁８１の面である。第１孔８２ａ、第２孔８２ｂ、第３孔８２ｃ、第４孔８３ａ、第５孔８３ｂ、第６孔８３ｃ、第７孔８４ａ、第８孔８４ｂ及び第９孔８４ｃは、内面８１ａから外面８１ｂに向かって延在している。
【００４４】
第１孔８２ａに挿入される第１ピン４１ｂａと第２孔８２ｂに挿入される第２ピン４１ｂｂとは、電気的に導通している。第２孔８２ｂに挿入される第２ピン４１ｂｂと第３孔８２ｃに挿入される第３ピン４１ｂｃとは、電気的に絶縁されている。第３孔８２ｃに挿入される第３ピン４１ｂｃと第１孔８２ａに挿入される第１ピン４１ｂａとは、電気的に絶縁されている。第４孔８３ａに挿入される第１ピン４１ｂａと第５孔８３ｂに挿入される第２ピン４１ｂｂとは、電気的に絶縁されている。第５孔８３ｂに挿入される第２ピン４１ｂｂと第６孔８３ｃに挿入される第３ピン４１ｂｃとは、電気的に導通している。第６孔８３ｃに挿入される第３ピン４１ｂｃと第４孔８３ａに挿入される第１ピン４１ｂａとは、電気的に絶縁されている。第７孔８４ａに挿入される第１ピン４１ｂａと第８孔８４ｂに挿入される第２ピン４１ｂｂとは、電気的に絶縁されている。第８孔８４ｂに挿入される第２ピン４１ｂｂと第９孔８４ｃに挿入される第３ピン４１ｂｃとは、電気的に絶縁されている。第９孔８４ｃに挿入される第３ピン４１ｂｃと第７孔８４ａに挿入される第１ピン４１ｂａとは、電気的に絶縁されている。
【００４５】
第１孔８２ａと第２孔８２ｂとの導通及び第５孔８３ｂと第６孔８３ｃとの導通は、例えばインサート端子８５により確保される。インサート端子８５は、本体部８中に埋め込まれている。インサート端子８５には、ピンの抜けを防止するための構造が設けられていてもよい。より具体的には、インサート端子８５には、外面８１ｂから内面８１ａに向かう方向に沿ってインサート端子８５から延在する第１突出部８５ａと、外面８１ｂから内面８１ａに向かう方向に沿ってインサート端子８５から延在し、かつ第１突出部８５ａと対向して配置される第２突出部８５ｂとが設けられていてもよい。第１突出部８５ａと第２突出部８５ｂとでピンを挟持することにより、ピンの抜けが防止されてもよい。
【００４６】
第２孔８２ｂと第３孔８２ｃとの絶縁、第３孔８２ｃと第１孔８２ａとの絶縁、第４孔８３ａと第５孔８３ｂとの絶縁、第６孔８３ｃと第４孔８３ａとの絶縁、第７孔８４ａと第８孔８４ｂとの絶縁、第８孔８４ｂと第９孔８４ｃとの絶縁及び第９孔８４ｃと第７孔８４ａとの絶縁は、例えば、本体部８を絶縁性の樹脂材料で形成することにより確保される。
【００４７】
このような導通・絶縁状態の違いにより、第１ピン４１ｂａ、第２ピン４１ｂｂ及び第３ピン４１ｂｃが、第１孔８２ａ、第２孔８２ｂ及び第３孔８２ｃにそれぞれ挿入される場合と、第１ピン４１ｂａ、第２ピン４１ｂｂ及び第３ピン４１ｂｃが第４孔８３ａ、第５孔８３ｂ及び第６孔８３ｃにそれぞれ挿入される場合と、第１ピン４１ｂａ、第２ピン４１ｂｂ及び第３ピン４１ｂｃが第７孔８４ａ、第８孔８４ｂ及び第９孔８４ｃにそれぞれ挿入される場合とで、第１ピン４１ｂａ、第２ピン４１ｂｂ及び第３ピン４１ｂｃにおいて検知される電位が異なることになる。
【００４８】
第１制御部４１ａ（第２制御部５１ａ、第３制御部６１ａ）は、この電位の違いを検知することにより、第１加熱調理器設定部４１ｂ（第２加熱調理器設定部５１ｂ、第３加熱調理器設定部６１ｂ）が第１基板決定部８２、第２基板決定部８３及び第３基板決定部８４のいずれと接続されているかを、検知することができる。
【００４９】
第１制御部４１ａ、第２制御部５１ａ及び第３制御部６１ａは、この検知結果を、第１記憶部４１ｃ、第２記憶部５１ｃ及び第３記憶部６１ｃにそれぞれ保持させるように構成されていてもよい。
【００５０】
より具体的には、第１制御部４１ａ（第２制御部５１ａ、第３制御部６１ａ）は、第１加熱調理器設定部４１ｂ（第２加熱調理器設定部５１ｂ、第３加熱調理器設定部６１ｂ）と第１基板決定部８２とが接続されている場合に第１記憶部４１ｃ（第２記憶部５１ｃ、第３記憶部６１ｃ）に第１識別情報を保持させてもよい。
【００５１】
第１制御部４１ａ（第２制御部５１ａ、第３制御部６１ａ）は、第１加熱調理器設定部４１ｂ（第２加熱調理器設定部５１ｂ、第３加熱調理器設定部６１ｂ）と第２基板決定部８３とが接続されている場合に、第１記憶部４１ｃ（第２記憶部５１ｃ、第３記憶部６１ｃ）に第２識別情報を保持させてもよい。
【００５２】
第１制御部４１ａ（第２制御部５１ａ、第３制御部６１ａ）は、第１加熱調理器設定部４１ｂ（第２加熱調理器設定部５１ｂ、第３加熱調理器設定部６１ｂ）と第３基板決定部８４が接続されている場合に第１記憶部４１ｃ（第２記憶部５１ｃ、第３記憶部６１ｃ）に、第３識別情報を保持させるように構成されていてもよい。
【００５３】
上記の電位の違いの検知は、初回電源投入時にのみ行われてもよい。なお、初回電源投入時とは、加熱調理装置１０の組立完了後に最初に電源を投入する時又は第１基板４１、第２基板５１及び第３基板６１の少なくとも１つを交換した後に最初に電源を投入する時をいう。上記の電位の違いの検知は、第１制御部４１ａ、第２制御部５１ａ及び第３制御部６１ａが制御部７１に対して制御信号を送信する際に随時行ってもよい。
【００５４】
第１制御部４１ａは、第１記憶部４１ｃが第１識別情報を保持している場合には、第１制御信号を出力し、第１記憶部４１ｃが第２識別情報を保持している場合には、第２制御信号を出力し、第１記憶部４１ｃが第３識別情報を保持している場合には、第３制御信号を出力する。
【００５５】
第２制御部５１ａ及び第３制御部６１ａの動作も、同様である。より具体的には、第２制御部５１ａ（第３制御部６１ａ）は、第２記憶部５１ｃ（第３記憶部６１ｃ）が第１識別情報を保持している場合には、第１制御信号を出力し、第２記憶部５１ｃ（第３記憶部６１ｃ）が第２識別情報を保持している場合には、第２制御信号を出力し、第２記憶部５１ｃ（第３記憶部６１ｃ）が第３識別情報を保持している場合には、第３制御信号を出力する。
【００５６】
以下に、実施形態に係る加熱調理装置１０の制御方法を、図５を参照して説明する。
図５に示すように、加熱調理装置１０の制御方法は、検知工程Ｓ１と、識別情報保持工程Ｓ２と、制御工程Ｓ３とを有している。
【００５７】
検知工程Ｓ１においては、第１制御部４１ａは、第１加熱調理器設定部４１ｂが第１基板決定部８２、第２基板決定部８３及び第３基板決定部８４のいずれと接続されているかを検知する。より具体的には、第１加熱調理器設定部４１ｂにおける電位（第１ピン４１ｂａ、第２ピン４１ｂｂ及び第３ピン４１ｂｃにおける電位）を検知する。検知工程Ｓ１は、第２制御部５１ａ及び第３制御部６１ａに対しても、同様に行われる。
【００５８】
識別情報保持工程Ｓ２においては、第１制御部４１ａは、検知工程Ｓ１の結果に基づいて、第１記憶部４１ｃに識別情報を保持させる。より具体的には、第１制御部４１ａは、第１加熱調理器設定部４１ｂが第１基板決定部８２に接続されている場合には、第１記憶部４１ｃに第１識別情報を保持させ、第１加熱調理器設定部４１ｂが第２基板決定部８３に接続されている場合には、第１記憶部４１ｃに第２識別情報を保持させ、第１加熱調理器設定部４１ｂが第３基板決定部８４に接続されている場合には、第１記憶部４１ｃに第３識別情報を保持させる。識別情報保持工程Ｓ２は、第２制御部５１ａ及び第３制御部６１ａに対しても、同様に行われる。検知工程Ｓ１及び識別情報保持工程Ｓ２は、初回電源投入時に行われることが好ましい。
【００５９】
制御工程Ｓ３においては、第１制御部４１ａ、第２制御部５１ａ及び第３制御部６１ａは、第１加熱調理器設定部４１ｂ、第２加熱調理器設定部５１ｂ及び第３加熱調理器設定部６１ｂと各々の基板決定部との接続状態に応じて、各々の加熱調理器を制御するための信号を出力する。
【００６０】
つまり、第１制御部４１ａ（第２制御部５１ａ、第３制御部６１ａ）は、第１加熱調理器設定部４１ｂ（第２加熱調理器設定部５１ｂ、第３加熱調理器設定部６１ｂ）が第１基板決定部８２に接続されている場合に、第１制御信号を出力し、第１加熱調理器設定部４１ｂ（第２加熱調理器設定部５１ｂ、第３加熱調理器設定部６１ｂ）が第２基板決定部８３に接続されている場合に、第２制御信号を出力し、第１加熱調理器設定部４１ｂ（第２加熱調理器設定部５１ｂ、第３加熱調理器設定部６１ｂ）が第３基板決定部８４に接続されている場合に、第３制御信号を出力する。
【００６１】
より具体的には、制御工程Ｓ３においては、第１制御部４１ａ（第２制御部５１ａ、第３制御部６１ａ）は、第１記憶部４１ｃ（第２記憶部５１ｃ、第３記憶部６１ｃ）が第１識別情報を保持している場合には、第１制御信号を出力し、第１記憶部４１ｃ（第２記憶部５１ｃ、第３記憶部６１ｃ）が第２識別情報を保持している場合には、第２制御信号を出力し、第１記憶部４１ｃ（第２記憶部５１ｃ、第３記憶部６１ｃ）が第３識別情報を保持している場合には、第３制御信号を出力する。
【００６２】
以下に、実施形態１に係る加熱調理装置１０及びその制御方法の効果を説明する。
上記のとおり、加熱調理装置１０においては、第１制御部４１ａ、第２制御部５１ａ及び第３制御部６１ａは、第１加熱調理器設定部４１ｂ、第２加熱調理器設定部５１ｂ及び第３加熱調理器設定部６１ｂと第１基板決定部８２、第２基板決定部８３及び第３基板決定部８４との接続関係に基づき、第１基板４１、第２基板５１及び第３基板６１が搭載される位置に対応した加熱調理器を制御するための制御信号を出力する。
【００６３】
そのため、例えば、本来は左側に取り付けられるべき第１基板４１が本体部の中央に取り付けられ、本来は中央に取り付けられるべき第２基板５１が本体部８の左側に取り付けられてしまっても、中央に取り付けられた第１基板４１に含まれる第１制御部４１ａからは、中央に配置されている第２加熱調理器２を制御するための第２制御信号が出力され、左側に取り付けられた第２基板５１に含まれる第２制御部５１ａからは、左側に配置されている第１加熱調理器１を制御するための第１制御信号が出力される。
【００６４】
このように、加熱調理装置１０によると、第１基板４１、第２基板５１及び第３基板６１が本来取り付けられるべき場所に取り付けられなかったとしても、ユーザが意図していない加熱調理器が操作されてしまうことを抑制することができる。
【００６５】
経年劣化等の影響により、第１加熱調理器設定部４１ｂ、第２加熱調理器設定部５１ｂ及び第３加熱調理器設定部６１ｂと第１基板決定部８２、第２基板決定部８３及び第３基板決定部８４との接続状態の検知が正しく行われなくなる場合がある。
【００６６】
初回電源投入時に、第１記憶部４１ｃ、第２記憶部５１ｃ及び第３記憶部６１ｃに第１識別情報、第２識別情報及び第３識別情報を保持させている場合には、経年変化等の影響により第１加熱調理器設定部４１ｂ、第２加熱調理器設定部５１ｂ及び第３加熱調理器設定部６１ｂと第１基板決定部８２、第２基板決定部８３及び第３基板決定部８４との接続状態の検知が正しく行われなくなったとしても、第１制御部４１ａ、第２制御部５１ａ及び第３制御部６１ａは、第１記憶部４１ｃ、第２記憶部５１ｃ及び第３記憶部６１ｃに保持されている識別情報に基づいて各加熱調理器を制御することができる。そのため、この場合には、経時変化等の影響によりユーザが意図していない加熱調理器が操作されてしまうことを抑制することができる。
【００６７】
（実施形態２）
以下に、実施形態２に係る加熱調理装置２０の構成を、図６及び図７を参照して説明する。なお、以下においては、実施形態１に係る加熱調理装置１０の構成と異なる点を主に説明し、重複する説明は繰り返さないものとする。
【００６８】
加熱調理装置２０は、第１加熱調理器１と、第２加熱調理器２と、第３加熱調理器３とを有している。また、加熱調理装置２０は、第１操作部４と、第２操作部５と、第３操作部６と、バーナコントローラ基板７と、本体部８とを有している。第１操作部４は、第１基板４１と、第１入力部４２とを有している。第２操作部５は、第２基板５１と、第２入力部５２とを有している。第３操作部６は、第３基板６１と、第３入力部６２とを有している。本体部８は、第１基板決定部８２と、第２基板決定部８３と、第３基板決定部８４とを有している。
【００６９】
第１基板４１は、第１制御部４１ａと、第１加熱調理器設定部４１ｂと、第１記憶部４１ｃとを有している。第２基板５１は、第２制御部５１ａと、第２加熱調理器設定部５１ｂと、第２記憶部５１ｃとを有している。第３基板６１は、第３制御部６１ａと、第３加熱調理器設定部６１ｂと、第３記憶部６１ｃとを有している。本体部８は、第１基板決定部８２と、第２基板決定部８３と、第３基板決定部８４とを有している。
【００７０】
第１制御部４１ａ（第２制御部５１ａ、第３制御部６１ａ）は、第１加熱調理器設定部４１ｂ（第２加熱調理器設定部５１ｂ、第３加熱調理器設定部６１ｂ）と第１基板決定部８２とが接続されている場合に第１制御信号を出力し、第１加熱調理器設定部４１ｂ（第２加熱調理器設定部５１ｂ、第３加熱調理器設定部６１ｂ）と第２基板決定部８３とが接続されている場合に第２制御信号を出力し、第１加熱調理器設定部４１ｂ（第２加熱調理器設定部５１ｂ、第３加熱調理器設定部６１ｂ）と第３基板決定部８４とが接続されている場合に第３制御信号を出力するように構成されている。
【００７１】
第１加熱調理器設定部４１ｂ（第２加熱調理器設定部５１ｂ、第３加熱調理器設定部６１ｂ）は、第１基板決定部８２に接続された場合と、第２基板決定部８３に接続された場合と、第３基板決定部８４に接続された場合とで、異なる電位を示すように構成されていてもよい。第１制御部４１ａ（第２制御部５１ａ、第３制御部６１ａ）は、当該異なる電位に基づいて、第１制御信号、第２制御信号及び第３制御信号のいずれかを出力してもよい。
【００７２】
これらの点に関して、加熱調理装置２０の構成は、加熱調理装置１０の構成と共通している。しかしながら、加熱調理装置２０の構成は、第１加熱調理器設定部４１ｂ、第２加熱調理器設定部５１ｂ、第３加熱調理器設定部６１ｂ、第１基板決定部８２、第２基板決定部８３及び第３基板決定部８４の構成の詳細に関して、加熱調理装置１０の構成と異なっている。
【００７３】
図６に示すように、第１加熱調理器設定部４１ｂは、第１ピン４１ｂｄと、第２ピン４１ｂｅとを有している。第１ピン４１ｂｄ及び第２ピン４１ｂｅの各々は、導電性の材料により構成されている。なお、上記のとおり、第２加熱調理器設定部５１ｂ及び第３加熱調理器設定部６１ｂは、第１加熱調理器設定部４１ｂと同一の構成を有しているため、第１加熱調理器設定部４１ｂと同様に、第１ピン４１ｂｄと、第２ピン４１ｂｅとを有している。
【００７４】
図７に示すように、第１基板決定部８２は、第１孔８２ｄと、第２孔８２ｅと、第１抵抗８２ｆとを有している。第１抵抗８２ｆは、第１孔８２ｄに挿入される第１ピン４１ｂｄと第２孔８２ｅに挿入される第２ピン４１ｂｅとを電気的に接続している。第２基板決定部８３は、第３孔８３ｄと、第４孔８３ｅと、第２抵抗８３ｆとを有している。第２抵抗８３ｆは、第３孔８３ｄに挿入される第１ピン４１ｂｄと第４孔８３ｅに挿入される第２ピン４１ｂｅとを電気的に接続している。第３基板決定部８４は、第５孔８４ｄと、第６孔８４ｅと、第３抵抗８４ｆとを有している。第３抵抗８４ｆは、第５孔８４ｄに挿入される第１ピン４１ｂｄと第６孔８４ｅに挿入される第２ピン４１ｂｅとを電気的に接続している。第１孔８２ｄ（第３孔８３ｄ、第５孔８４ｄ）は、例えば、第２孔８２ｅ（第４孔８３ｅ、第６孔８４ｅ）の左側に配置されている。
【００７５】
第１ピン４１ｂｄは、第１孔８２ｄ、第３孔８３ｄ及び第５孔８４ｄに挿入される。第２ピン４１ｂｅは、第２孔８２ｅ、第４孔８３ｅ及び第６孔８４ｅに挿入される。
【００７６】
第１抵抗８２ｆの電気抵抗値は、第２抵抗８３ｆの電気抵抗値及び第３抵抗８４ｆの電気抵抗値と異なっている。第２抵抗８３ｆの電気抵抗値は、第３抵抗８４ｆの電気抵抗値と異なっている。第１抵抗８２ｆ、第２抵抗８３ｆ及び第３抵抗８４ｆの電気抵抗値は、例えば、第１抵抗８２ｆ、第２抵抗８３ｆ及び第３抵抗８４ｆを構成する部材の幅を変えることにより、互いに異ならせることができる。第１抵抗８２ｆ、第２抵抗８３ｆ及び第３抵抗８４ｆの電気抵抗値は、第１抵抗８２ｆ、第２抵抗８３ｆ及び第３抵抗８４ｆを構成する部材を異なる材料により形成することによって互いに異ならせてもよい。
【００７７】
このような電気抵抗値の違いにより、第１ピン４１ｂｄ及び第２ピン４１ｂｅを第１孔８２ｄ及び第２孔８２ｅにそれぞれ挿入した場合と、第１ピン４１ｂｄ及び第２ピン４１ｂｅを第３孔８３ｄ及び第４孔８３ｅにそれぞれ挿入した場合と、第１ピン４１ｂｄ及び第２ピン４１ｂｅを第５孔８４ｄ及び第６孔８４ｅにそれぞれ挿入した場合とで、第１ピン４１ｂｄ及び第２ピン４１ｂｅにおいて検知される電位が異なる。
【００７８】
第１制御部４１ａ（第２制御部５１ａ、第３制御部６１ａ）は、この電位の違いを検知することにより、第１加熱調理器設定部４１ｂ（第２加熱調理器設定部５１ｂ、第３加熱調理器設定部６１ｂ）が第１基板決定部８２、第２基板決定部８３及び第３基板決定部８４のいずれと接続されているかを検知することができる。
【００７９】
なお、加熱調理装置２０に係る制御方法は、加熱調理装置１０に係る制御方法と同一であるため、加熱調理装置２０に係る制御方法に関する説明は、省略するものとする。
【００８０】
以下に、実施形態２に係る加熱調理装置２０及びその制御方法の効果を説明する。以下においては、実施形態１に係る加熱調理装置１０及びその制御方法の効果と異なる点を主に説明し、重複する説明は繰り返さない。
【００８１】
第１基板４１（第２基板５１、第３基板６１）は、第１加熱調理器設定部４１ｂ（第２加熱調理器設定部５１ｂ、第３加熱調理器設定部６１ｂ）を構成している各ピンを、第１基板決定部８２を構成している各孔（第２基板決定部８３を構成している各孔、第３基板決定部８４を構成している各孔）に挿入することにより、本体部８に取り付けられる。そのため、第１加熱調理器設定部４１ｂ（第２加熱調理器設定部５１ｂ、第３加熱調理器設定部６１ｂ）を構成しているピンの数が減るほど（各基板決定部を構成している孔の数が減るほど）、組立が容易になる。
【００８２】
加熱調理装置２０においては、第１加熱調理器設定部４１ｂ（第２加熱調理器設定部５１ｂ、第３加熱調理器設定部６１ｂ）を構成しているピンの数（各基板決定部を構成している孔の数）が、加熱調理装置１０と比較して、少なくなっている。そのため、加熱調理装置２０によると、組立性を改善することができる。
【００８３】
（実施形態３）
以下に、実施形態３に係る加熱調理装置３０の構成を、図８及び図９を参照して説明する。なお、以下においては、実施形態１に係る加熱調理装置１０の構成と異なる点を主に説明し、重複する説明は繰り返さないものとする。
【００８４】
加熱調理装置３０は、第１加熱調理器１と、第２加熱調理器２と、第３加熱調理器３とを有している。また、加熱調理装置２０は、第１操作部４と、第２操作部５と、第３操作部６と、バーナコントローラ基板７と、本体部８とを有している。第１操作部４は、第１基板４１と、第１入力部４２とを有している。第２操作部５は、第２基板５１と、第２入力部５２とを有している。第３操作部６は、第３基板６１と、第３入力部６２とを有している。本体部８は、第１基板決定部８２と、第２基板決定部８３と、第３基板決定部８４とを有している。
【００８５】
第１基板４１は、第１制御部４１ａと、第１加熱調理器設定部４１ｂと、第１記憶部４１ｃとを有している。第２基板５１は、第２制御部５１ａと、第２加熱調理器設定部５１ｂと、第２記憶部５１ｃとを有している。第３基板６１は、第３制御部６１ａと、第３加熱調理器設定部６１ｂと、第３記憶部６１ｃとを有している。本体部８は、第１基板決定部８２と、第２基板決定部８３と、第３基板決定部８４とを有している。
【００８６】
第１制御部４１ａ（第２制御部５１ａ、第３制御部６１ａ）は、第１加熱調理器設定部４１ｂ（第２加熱調理器設定部５１ｂ、第３加熱調理器設定部６１ｂ）と第１基板決定部８２とが接続されている場合に第１制御信号を出力し、第１加熱調理器設定部４１ｂ（第２加熱調理器設定部５１ｂ、第３加熱調理器設定部６１ｂ）と第２基板決定部８３とが接続されている場合に第２制御信号を出力し、第１加熱調理器設定部４１ｂ（第２加熱調理器設定部５１ｂ、第３加熱調理器設定部６１ｂ）と第３基板決定部８４とが接続されている場合に第３制御信号を出力するように構成されている。
【００８７】
第１加熱調理器設定部４１ｂ（第２加熱調理器設定部５１ｂ、第３加熱調理器設定部６１ｂ）は、第１基板決定部８２に接続された場合と、第２基板決定部８３に接続された場合と、第３基板決定部８４に接続された場合とで、異なる電位を示すように構成されていてもよい。第１制御部４１ａ（第２制御部５１ａ、第３制御部６１ａ）は、当該異なる電位に基づいて、第１制御信号、第２制御信号及び第３制御信号のいずれかを出力してもよい。
【００８８】
これらの点に関して、加熱調理装置３０の構成は、加熱調理装置１０の構成と共通している。しかしながら、加熱調理装置３０の構成は、第１加熱調理器設定部４１ｂ、第２加熱調理器設定部５１ｂ、第３加熱調理器設定部６１ｂ、第１基板決定部８２、第２基板決定部８３及び第３基板決定部８４の構成の詳細に関して、加熱調理装置１０の構成と異なっている。
【００８９】
図８に示すように、第１加熱調理器設定部４１ｂは、ピン４１ｂｆを有している。ピン４１ｂｆは、導電性の材料により構成されている。なお、上記のとおり、第２加熱調理器設定部５１ｂ及び第３加熱調理器設定部６１ｂは、第１加熱調理器設定部４１ｂと同一の構成を有しているため、第１加熱調理器設定部４１ｂと同様に、ピン４１ｂｆを有している。
【００９０】
図８及び図９に示すように、第１基板決定部８２は、第１孔８２ｇと、第１抵抗８２ｈとを有している。第１抵抗８２ｈは、一方端において、第１孔８２ｇに挿入されるピン４１ｂｆに電気的に接続されている。第１抵抗８２ｈの他方端は、設置電位とされている。より具体的には、第１抵抗８２ｈの他方端は、本体部８の底壁８１側を覆い、かつ設置電位とされているカバー８６に電気的に接続されている。カバー８６は、導電性の材料により形成されている。
【００９１】
第２基板決定部８３は、第２孔８３ｇと、第２抵抗８３ｈとを有している。第２抵抗８３ｈは、一方端において、第２孔８３ｇに挿入されるピン４１ｂｆに電気的に接続されている。第２抵抗８３ｈの他方端は、設置電位とされている。第２抵抗８３ｈの電気抵抗値は、第１抵抗８２ｈの電気抵抗値と異なっている。第３基板決定部８４は、第３孔８４ｇと、第３抵抗８４ｈとを有している。第３抵抗８４ｈは、一方端において、第３孔８４ｇに電気的に接続されている。第３抵抗８４ｈの他方端は、設置電位とされている。第３抵抗８４ｈの電気抵抗値は、第１抵抗８２ｈの電気抵抗値及び第２抵抗８３ｈの電気抵抗値と異なっている。
【００９２】
なお、第１抵抗８２ｈ、第２抵抗８３ｈ及び第３抵抗８４ｈの電気抵抗値は、例えば、第１抵抗８２ｈ、第２抵抗８３ｈ及び第３抵抗８４ｈを構成する部材の幅及び長さを変えることにより、互いに異ならせることができる。第１抵抗８２ｈ、第２抵抗８３ｈ及び第３抵抗８４ｈの電気抵抗値は、第１抵抗８２ｈ、第２抵抗８３ｈ及び第３抵抗８４ｈを構成する部材を異なる材料により形成することによって互いに異ならせてもよい。また、ピン４１ｂｆは、第１孔８２ｇ、第２孔８３ｇ及び第３孔８４ｇにそれぞれ挿入される。
【００９３】
このような電気抵抗値の違いにより、ピン４１ｂｆを第１孔８２ｇに挿入した場合と、ピン４１ｂｆを第２孔８３ｇに挿入した場合と、ピン４１ｂｆを第３孔８４ｇに挿入した場合とで、ピン４１ｂｆにおいて検知される電位が異なる。第１制御部４１ａ（第２制御部５１ａ、第３制御部６１ａ）は、この電位の違いを検知することにより、第１加熱調理器設定部４１ｂ（第２加熱調理器設定部５１ｂ、第３加熱調理器設定部６１ｂ）が第１基板決定部８２、第２基板決定部８３及び第３基板決定部８４のいずれと接続されているかを検知することができる。
【００９４】
なお、加熱調理装置３０に係る制御方法は、加熱調理装置１０に係る制御方法と同一であるため、加熱調理装置３０に係る制御方法に関する説明は、省略するものとする。
【００９５】
以下に、実施形態３に係る加熱調理装置３０及びその制御方法の効果を説明する。以下においては、実施形態１に係る加熱調理装置１０及びその制御方法の効果と異なる点を主に説明し、重複する説明は繰り返さない。
【００９６】
第１基板４１（第２基板５１、第３基板６１）は、第１加熱調理器設定部４１ｂ（第２加熱調理器設定部５１ｂ、第３加熱調理器設定部６１ｂ）を構成している各ピンを、第１基板決定部８２を構成している各孔（第２基板決定部８３を構成している各孔、第３基板決定部８４を構成している各孔）に挿入することにより、本体部８に取り付けられる。そのため、第１加熱調理器設定部４１ｂ（第２加熱調理器設定部５１ｂ、第３加熱調理器設定部６１ｂ）を構成しているピンの数が減るほど（各基板決定部を構成している孔の数が減るほど）、組立が容易になる。
【００９７】
加熱調理装置３０においては、第１加熱調理器設定部４１ｂ（第２加熱調理器設定部５１ｂ、第３加熱調理器設定部６１ｂ）を構成しているピンの数（各基板決定部を構成している孔の数）が、加熱調理装置１０と比較して、少なくなっている。そのため、加熱調理装置２０によると、組立性を改善することができる。
【００９８】
今回開示された実施形態は全ての点で例示であって、制限的なものではないと考えられるべきである。本発明の範囲は上記した実施の形態ではなく特許請求の範囲によって示され、特許請求の範囲と均等の意味、及び範囲内での全ての変更が含まれることが意図される。
【産業上の利用可能性】
【００９９】
上記の実施形態は、加熱調理装置及びその制御方法に特に有利に適用される。
【符号の説明】
【０１００】
１  第１加熱調理器、２  第２加熱調理器、３  第３加熱調理器、４  第１操作部、４１  第１基板、４１ａ  第１制御部、４１ｂ  第１加熱調理器設定部、４１ｂａ，４１ｂｄ  第１ピン、４１ｂｂ，４１ｂｅ  第２ピン、４１ｂｃ  第３ピン、４１ｂｆ  ピン、４１ｃ  第１記憶部、４２  第１入力部、５  第２操作部、５１  第２基板、５１ａ  第２制御部、５１ｂ  第２加熱調理器設定部、５１ｃ  第２記憶部、５２  第２入力部、６  第３操作部、６１  第３基板、６１ａ  第３制御部、６１ｂ  第２加熱調理器設定部、６１ｃ  第３記憶部、６２  第３入力部、７  バーナコントローラ基板、７１  制御部、８  本体部、８１  底壁、８１ａ  内面、８１ｂ  外面、８２  第１基板決定部、８２ａ  第１孔、８２ｂ  第２孔、８２ｃ  第３孔、８２ｄ  第１孔、８２ｅ  第２孔、８２ｆ  第１抵抗、８２ｇ  第１孔、８２ｈ  第１抵抗、８３  第２基板決定部、８３ａ  第４孔、８３ｂ  第５孔、８３ｃ  第６孔、８３ｄ  第３孔、８３ｅ  第４孔、８３ｆ  第２抵抗、８３ｇ  第２孔、８３ｈ  第２抵抗、８４  第３基板決定部、８４ａ  第７孔、８４ｂ  第８孔、８４ｃ  第９孔、８４ｄ  第５孔、８４ｅ  第６孔、８４ｆ  第３抵抗、８４ｇ  第３孔、８４ｈ  第３抵抗、８５  インサート端子、８５ａ  第１突出部、８５ｂ  第２突出部、８６  カバー、Ｓ１  検知工程、Ｓ２  識別情報保持工程、Ｓ３  制御工程、１０，２０，３０  加熱調理装置。
【図１】
2019056539.tif 000003
【図２】
2019056539.tif 000004
【図３】
2019056539.tif 000005
【図４】
2019056539.tif 000006
【図５】
2019056539.tif 000007
【図６】
2019056539.tif 000008
【図７】
2019056539.tif 000009
【図８】
2019056539.tif 000010
【図９】
2019056539.tif 000011